(57)【要約】      （修正有）【課題】部品が少なく取り付けが簡単で、具体的な要求に応じて適当な数の組立品を選択し適当なサイズの飾りすだれが取り付けられることができ、且つ、飾りすだれは、個々の部材を繋いで組み立てられるため、巻き取りや着脱及び移動が便利になる着脱可能な飾りすだれ組立品及び飾りチューブ、飾りすだれを提供する。【解決手段】着脱可能な飾りすだれ組立品であって、飾り部材１と、花挿通筒部２と、花受け３と、スリーブ４と、繋ぎ部材５とを含み、上記花挿通筒部２が上記飾り部材１と上記花受け３とに順に挿通し、上記繋ぎ部材５が上記花挿通筒部２と上記スリーブ４とを貫通して繋いでいる。また、繋ぎ部材を介して互いにチューブ状に接続されている飾りチューブや、飾りチューブや接続部材を複数備え、網状に接続された飾りすだれである。【選択図】図３
0003182211.tif 000002
【実用新案登録請求の範囲】
【請求項１】
飾り部材と、花挿通筒部と、花受けと、スリーブと、繋ぎ部材とを含み、上記花挿通筒部が上記飾り部材と上記花受けとに順に挿通し、上記繋ぎ部材が上記花挿通筒部と上記スリーブとを貫通して繋いでいることを特徴とする、着脱可能な飾りすだれ組立品。
【請求項２】
上記繋ぎ部材は、棒状部材と、紐状部材と、リング部材とを含み、上記紐状部材の一端が上記棒状部材の中央部に接続され、他端が上記リング部材に接続され、上記リング部材の孔径は、上記棒状部材の最も大きな横幅のサイズよりも大きく、棒状部材の長さよりも小さいことを特徴とする、請求項１に記載の着脱可能な飾りすだれ組立品。
【請求項３】
上記繋ぎ部材は、さらに、別の紐状部材と押し留め具とを含み、当該紐状部材の一端が上記棒状部材の中央部に接続され、他端が上記リング部材と互いに係合可能な上記押し留め具に接続されていることを特徴とする、請求項２に記載の着脱可能な飾りすだれ組立品。
【請求項４】
上記繋ぎ部材は、ボールチェーンとその一端部に設けられたボールチェーン留めとを含み、上記ボールチェーン留めは、上記ボールチェーンの他端部のボールと係合することができることを特徴とする、請求項１に記載の着脱可能な飾りすだれ組立品。
【請求項５】
上記飾り部材は、耐紫外線性材料で作製されることを特徴とする、請求項１〜４の何れか１項に記載の着脱可能な飾りすだれ組立品。
【請求項６】
請求項１〜５の何れか１項に記載の着脱可能な飾りすだれ組立品を複数備え、上記着脱可能な飾りすだれ組立品は、上記繋ぎ部材を介して互いにチューブ状に接続されていることを特徴とする、飾りチューブ。
【請求項７】
請求項６に記載の上記飾りチューブと接続部材とを複数備え、上記飾りチューブ同士が上記接続部材により網状に接続され、上記接続部材は上記繋ぎ部材であることを特徴とする、飾りすだれ。
【請求項８】
さらに、取付けバーと、櫛状ラックと、吊り部材とを含み、上記取付けバーは中空で、少なくとも1つの端部に開口を有し、上記取付けバーの内部には区切板が長さ方向に設けられ、上記取付けバーの表面には、上記区切板の両側の対向する位置に上記吊り部材を係止するための第１の貫通溝と上記飾りチューブを吊り下げるための第２の貫通溝とが長さ方向にそれぞれ設けられていることを特徴とする、請求項７に記載の飾りすだれ。
【請求項９】
上記取付けバーは、さらに、上記第２の貫通溝の両側に位置する内壁に補強リブ板が長さ方向にそれぞれ設けられていることを特徴とする、請求項８に記載の飾りすだれ。
【請求項１０】
上記吊り部材の一端は、貫通孔を有し、他端の対向する両側には外方向に延在する耳部を有し、上記吊り部材は、上記耳部により上記第１の貫通溝内に係合され、上記飾りチューブは、上記繋ぎ部材により上記櫛状ラックの歯に掛けられるか、または上記櫛状ラックの歯の間に係合され、上記繋ぎ部材は、上記取付けバーの内部から上記第２の貫通溝を介して上記取付けバーの外部に延在し、上記取付けバーの端部にキャップがさらに設けられていることを特徴とする、請求項８または９に記載の飾りすだれ。
【考案の詳細な説明】
【技術分野】
【０００１】
本考案は、扉及び窓の装飾品の分野に関し、特に、着脱可能な飾りすだれ組立品及び当該組立品付き飾りチューブ、飾りすだれに関するものである。
【背景技術】
【０００２】
飾りすだれは、日常生活において庭の飾りや特定領域の構築物の保護に用いられ、通気性及び透光性に優れ、設置面積が小さいという特長があるとともに、カントリー風の装飾スタイルを有するので、ガーデニングやインテリア・エクステリア装飾においてユーザに人気がある。周知の飾りすだれは、竹、細木または金属ストリップ及び木の葉、布で組み立て作られており、このような飾りすだれは、比較的固定的で移動しにくく、巻き取りや着脱が不便であり、飾るときに多くの不便をもたらしている。
【考案の概要】
【考案が解決しようとする課題】
【０００３】
従来の技術において飾りすだれが移動しにくく、巻き取りや着脱が困難である欠点を解決するため、本考案は、以下の技術的方案を提供する。
【課題を解決するための手段】
【０００４】
本考案に係る着脱可能な飾りすだれ組立品は、飾り部材と、花挿通筒部と、花受けと、スリーブと、繋ぎ部材とを含み、上記花挿通筒部が上記飾り部材と上記花受けとに順に挿通し、上記繋ぎ部材が上記花挿通筒部と上記スリーブとを貫通して繋いでいる。
【０００５】
本考案は、さらに、以下の手段を用いることが好ましい。
【０００６】
上記繋ぎ部材は、棒状部材と、紐状部材と、リング部材とを含み、上記紐状部材の一端が上記棒状部材の中央部に接続され、他端が上記リング部材に接続され、上記リング部材の孔径は、上記棒状部材の最も大きな横幅のサイズよりも大きく、棒状部材の長さよりも小さい。
【０００７】
上記繋ぎ部材は、さらに、別の紐状部材と押し留め具とを含み、当該紐状部材の一端が上記棒状部材の中央部に接続され、他端が上記リング部材と互いに係合可能な上記押し留め具に接続されている。
【０００８】
上記繋ぎ部材は、ボールチェーンとその一端部に設けられたボールチェーン留めとを含み、上記ボールチェーン留めは、上記ボールチェーンの他端部のボールと係合することができる。
【０００９】
上記飾り部材は、耐紫外線性材料で作製される。
【００１０】
飾りチューブは、上記のような着脱可能な飾りすだれ組立品を複数備え、上記着脱可能な飾りすだれ組立品は、上記繋ぎ部材を介して互いにチューブ状に接続されている。
【００１１】
飾りすだれは、上記のような飾りチューブと接続部材とを複数備え、上記飾りチューブ同士が上記接続部材により網状に接続され、上記接続部材は上記繋ぎ部材である。
【００１２】
さらに、取付けバーと、櫛状ラックと、吊り部材とを含み、上記取付けバーは中空で、少なくとも1つの端部に開口を有し、上記取付けバーの内部には区切板が長さ方向に設けられ、上記取付けバーの表面には、上記区切板の両側の対向する位置に上記吊り部材を係止するための第１の貫通溝と上記飾りチューブを吊り下げるための第２の貫通溝とが長さ方向にそれぞれ設けられている。
【００１３】
上記取付けバーは、さらに、上記第２の貫通溝の両側に位置する内壁に補強リブ板が長さ方向にそれぞれ設けられている。
【００１４】
上記吊り部材の一端は、貫通孔を有し、他端の対向する両側には外方向に延在する耳部を有し、上記吊り部材は、上記耳部により上記第１の貫通溝内に係合され、上記飾りチューブは、上記繋ぎ部材により上記櫛状ラックの歯に掛けられるか、または上記櫛状歯の間に係合され、上記繋ぎ部材は、上記取付けバーの内部から上記貫通溝を介して上記取付けバーの外部に延在し、上記取付けバーの端部にキャップがさらに設けられている。
【考案の効果】
【００１５】
（考案の効果）
本考案に係る着脱可能な飾りすだれ組立品は、飾り部材と花受けとに花挿通筒部を順に挿通し、繋ぎ部材を上記花挿通筒部と上記スリーブに通して繋いでいくことにより組み立てて構成されており、部品が少なく取り付けが簡単で、具体的な要求に応じて適当な数の組立品を選択し適宜なサイズの飾りすだれが取り付けられることができ、且つ、飾りすだれは、個々の部材を繋いで組み立てられるため、巻き取りや着脱及び移動が便利になる。
【図面の簡単な説明】
【００１６】
【図１】図１は、本考案に係る一実施例の花挿通筒部、飾り部材及び花受けを示す分解図である。
【図２】図２は、本考案に係る一実施例の花挿通筒部、飾り部材及び花受けの組み合わせを示す図である。
【図３】図３は、本考案に係る一実施例の着脱可能な飾りすだれ組立品を示す分解図である。
【図４】図４は、本考案に係る一実施例の繋ぎ部材のある構造形態を示す図である。
【図５】図５は、図４の繋ぎ部材同士が互いに接続された様子を示す図である。
【図６】図６は、本考案に係る一実施例の繋ぎ部材の一つの構造形態を示す図である。
【図７】図７は、図６の繋ぎ部材同士が互いに接続された様子を示す図である。
【図８】図８は、本考案に係る一実施例の繋ぎ部材の一つの構造形態を示す図である。
【図９】図９は、図８の繋ぎ部材同士が互いに接続された様子を示す図である。
【図１０】図１０は、本考案に係る一実施例の取付けバーを示す図である。
【図１１】図１１は、本考案に係る一実施例のラックを示す図である。
【図１２】図１２は、本考案に係る一実施例の取付けバー、ラック及び摺動式吊りリングを示す取付図である。
【図１３】図１３は、本考案に係る一実施例の飾りチューブと取付けバーとを示す取付図である。
【図１４】図１４は、本考案に係る一実施例の飾りすだれを示す図である。
【考案を実施するための形態】
【００１７】
以下に、実施例により添付図面を参照しながら本考案を詳細に説明する。
【００１８】
本考案は、着脱可能な飾りすだれ組立品に関し、図１〜３に示すように、上記着脱可能な飾りすだれ組立品は、飾り部材１と、花挿通筒部２と、花受け３と、スリーブ４と、繋ぎ部材５とを含み、上記花挿通筒部２を上記飾り部材１と上記花受け３とに順に挿通し、上記繋ぎ部材２を上記花挿通筒部５と上記スリーブ４とに通して繋いでいくことにより、１つの着脱可能な飾りすだれ組立品が構成される。
【００１９】
上記飾り部材１は、カラーの様々な植物の葉の形状であり、耐紫外線性の材料で作製される。
【００２０】
ここで、図６に示すように、上記繋ぎ部材５は、棒状部材５０１と、紐状部材５０２と、リング部材５０３とを含み、上記紐状部材５０２の一端が上記棒状部材５０１の中央部に接続され、他端が上記リング部材５０３に接続されている。また、上記リング部材５０３の孔径を、上記棒状部材５０１が上記リング部材５０３に係合可能となるように、上記棒状部材５０１の最も大きな横幅のサイズよりも大きくその長さよりも小さくする。
【００２１】
図４に示すように、上記繋ぎ部材５は、さらに、別の紐状部材５０７と押し留め具５０４とを含み、上記紐状部材５０７の一端が上記棒状部材５０１の中央部に接続され、他端が上記押し留め具５０４に接続され、上記押し留め具５０４が上記リング部材５０３と互いに係合できる。
【００２２】
好ましくは、上記リング部材５０３及び／または押し留め具５０４は、自然植物の形状または動物の形状、または様々な飾りや美化の役割を果たせる他の形状になっている。
【００２３】
図８に示すように、上記繋ぎ部材５は、ボールチェーン５０６とその一端部に設けられたボールチェーン留め５０５とであってもよい。上記ボールチェーン５０６の他端部のボールは、上記ボールチェーン留め５０５と係合することができる。
【００２４】
本考案は、さらに、飾りチューブに関し、上記飾りチューブは、上記着脱可能な飾りすだれ組立品を繋いで形成され、上記２つの着脱可能な飾りすだれ組立品同士の接続は、繋ぎ部材５の具体的な構造形態によって行われる。すなわち、図７に示すように、２つの繋ぎ部材５間の上記棒状部材５０１と上記リング部材５０３とを互いに係合することにより上記着脱可能な飾りすだれ組立品を繋ぐことができ、図５に示すように、上記繋ぎ部材５の上記リング部材５０３と上記押し留め具５０４とを互いに係合して、上記繋ぎ部材５同士の係合を達成することにより上記着脱可能な飾りすだれ組立品を繋ぐことができ、または、上記繋ぎ部材５がボールチェーン５０６である場合には、図９に示すように、２本の上記ボールチェーン５０６同士は、上記ボールチェーン留め５０５との係合により上記着脱可能な飾りすだれ組立品を繋ぐことができる。複数の上記着脱可能な飾りすだれ組立品をそれぞれライン状に一体に繋いで飾りチューブを形成し、使用場所に掛けられる。
【００２５】
飾りすだれは、図１４に示すように、複数本の上記の飾りチューブと接続部材とを含み、上記飾りチューブ同士は、上記接続部材により網状に接続されている。具体的には、上記接続部材は上記繋ぎ部材５であってよく、上記繋ぎ部材５の両端が２本の上記飾りチューブの着脱可能な飾りすだれ組立品間の繋ぎ部位にそれぞれ接続されている。上記飾りすだれの長さ及び幅は、具体的な要求に応じて適当に組み合わせることができ、着脱または移動自在であり、また自由に巻き取り、収納することができるから、使用上極めて便利である。
【００２６】
図１０〜図１３に示すように、上記飾りすだれは、さらに、取付けバー６と、櫛状ラック８と、吊り部材９とを含み、上記取付けバー６は中空で、任意の一端または両端に開口を有し、上記取付けバー６の内部に長さ方向に沿って区切板６０４が設けられ、上記取付けバー６の表面には、上記区切板６０４の両側の対向する位置に上記吊り部材９を係止するための第１の貫通溝６０３と上記飾りチューブを吊り下げるための第２の貫通溝６０２とが長さ方向にそれぞれ設けられている。上記第２の貫通溝６０２の幅は、上記櫛状ラック８の厚さよりも小さい。上記櫛状ラック８が上記取付けバー６の内部に設けられ、前記櫛状ラック８の歯は、上記第２の貫通溝６０２に背を向けて取り付けられる。上記第２の貫通溝６０２の幅は、上記櫛状ラック８の厚さよりも小さいため、上記櫛状ラック８が上記取付けバー６に取り付けられるとき上記第２の貫通溝６０２から抜け落ちることはない。
【００２７】
上記区切板６０４の上記第２の貫通溝６０２寄りの側の囲まれたスペース内に、上記第２の貫通溝６０２の両側の上記取付けバー６の内壁にさらに補強リブ板６０１が長さ方向にそれぞれ設けられている。前記補強リブ板６０１は、上記取付けバー６を補強する役割を果たすとともに、上記櫛状ラック８の位置を規制することで、両側に倒れて使用に影響を与えることのないように保証することができる。
【００２８】
上記飾りチューブは、上記繋ぎ部材５により上記リング部材５０３と上記押し留め具５０４とをリング状に係合することによって、上記櫛状ラック８の歯に掛けられ、上記繋ぎ部材５の一端が上記櫛状の歯に掛けられ、他端が上記第２の貫通溝６０２を通し上記取付けバー６の外部に延在する。また、上記棒状部材５０１または上記ボールチェーン５０６のボールが上記櫛状の歯の間に係合することにより、上記飾りチューブを掛けることもできる。また、具体的な要求に応じて上記取付けバー６の長さ及び上記櫛状ラック８の数を決定することができ、上記取付けバー６の長さが長い場合は、長さが同じである１本の櫛状ラック８を用いるか、または長さの短い複数の上記櫛状ラック８に分けて用いてもよく、使用や携帯がさらに便利である。複数本の上記櫛状ラック８は、上記開口から上記取付けバー６に順に取り付けることができる。
【００２９】
上記吊り部材９は、一端に釘やねじに掛けるための貫通孔を有し、他端の対向する両側には外方向に延在する耳部を有し、上記吊り部材９は、上記耳部により上記第１の貫通溝６０３内に係合され、係合された後に、上記吊り部材９は、上記取付けバー６の長さ方向に沿って摺動できるため、釘やねじの間の距離に応じて上記吊り部材９の距離を調整することができ、使用上極めて便利である。上記吊り部材９の耳部は、上記区切板６０４の上記第１の貫通溝６０３の一方の側における囲まれたスペースの大きさに応じて設置することができ、スペースが大きいと、それに応じて耳部のサイズを大きくし、上記第１の貫通溝６０３から抜け出さないよう上記吊り部材９をスペース内で回転しにくくする。逆の場合も同じである。上記取付けバー６の端部にはさらにキャップ７が設けられ、上記キャップ７は、上記吊り部材９と前記櫛状ラック８が上記取付けバー６の両端から抜けることを防ぐためのものである。
【００３０】
上記飾りすだれの引っ掛け方式は、具体的な要求に応じて行っても良い。間隔をやや広げたいときは、上記飾りすだれの引っ掛け用の上記繋ぎ部材５が上記櫛状ラック８の離れた歯に掛けられ、このようにすれば、透過光が明るく、風通しが良くなる。一方、光を遮断する必要がある場合、距離の近い記歯に掛ければよいが、さらに同一の上記櫛状の歯に２つまたは複数の飾りすだれを同時に掛けて、複数層の遮断を形成することもできる。
【００３１】
以上のように、具体的かつ好適な実施形態により本考案をより詳細に説明したが、本考案の具体的実施はこれらの説明に限定されるものではない。本考案の属する技術領域における普通の技術者にとって、本考案の思想を逸脱しない範囲で、種々の変更や変形を実施することができ、しかも性能や用途が同等及び均等であれば、これら実施形態やその変形はいずれも、本考案の特許請求の範囲に含まれるものであるとみなされるべきである。
【図１】
0003182211.tif 000003
【図２】
0003182211.tif 000004
【図３】
0003182211.tif 000005
【図４】
0003182211.tif 000006
【図５】
0003182211.tif 000007
【図６】
0003182211.tif 000008
【図７】
0003182211.tif 000009
【図８】
0003182211.tif 000010
【図９】
0003182211.tif 000011
【図１０】
0003182211.tif 000012
【図１１】
0003182211.tif 000013
【図１２】
0003182211.tif 000014
【図１３】
0003182211.tif 000015
【図１４】
0003182211.tif 000016